(57)【要約】      （修正有）【課題】褌を使用する人が減少し、廃れていく中で、その優れた特徴・特性を生かした下着（アンダーパンツ）を機能性一体型パンツとして甦らせた褌型パンツを提供する。【解決手段】男性下着の褌を天然繊維織物生地、又は合成繊維織物生地等を組合せ、腰周り部、前見頃部、後見頃部、前垂れ部を、褌を着用した時の形態に縫製等で一体構成させた褌型パンツとする。これにより、褌の着用方法がわからない人でも、通常のアンダーパンツを穿く要領で誰でも簡単に着装でき、生地・構造を一体化させることで嵩張らないことも含め、褌以上の装着感、通気性、安定性をもたらしながらも、洋服着装の際に通常のアンダーパンツと同様の違和感ない、美観を損ねないものともなっている。【選択図】図１
0003142309.tif 000002
【実用新案登録請求の範囲】
【請求項１】
日本古来から継承されている褌（ふんどし）の特性である快適さをそのままに、陰部を
包み込むようにホールドさせる形を施し、織物生地を用い、縫製による一体成型とした
前垂れ付（固定・着脱可能両用）アンダーパンツである。
【考案の詳細な説明】
【技術分野】
【０００１】
本考案は日本古来から継承されている褌の特性と特徴を生かした機能性アンダーパンツ
である。
【背景技術】
【０００２】
褌は、その優れた装着感や通気性、安定性などの特性をもち、古くから日本人をはじめ
多くの人々に陰部を覆う布として愛用されてきた下着である。
パンツが普及する以前の時代は、褌が一般に普及し使用されてきたが、現在では祭事や
イベント、愛用者等のほかには使用する人がいなくなってきている。
【考案の開示】
【考案が解決しようとする課題】
【０００３】
褌を使用する人が減少し、廃れていく中で、その優れた特徴・特性を生かした下着
（アンダーパンツ）を機能性一体型パンツとして普及させ甦らせることである。
【課題を解決するための手段】
【０００４】
本考案は、褌の着用方法がわからない人でも通常のアンダーパンツを穿く要領で誰でも
簡単に着装でき、生地・構造を一体化させることで嵩張らず、褌以上の装着感、通気性、
速乾性、安定性をもたらす構造とする。
【考案の効果】
【０００５】
ズボン等を穿いた状態でも違和感のない形状となっていることから、一般日常的に使用
できるものとなっている。
【考案を実施するための最良の形態】
【０００６】
褌の持つ特性長所を損なうことなく、褌の持つ特性長所以上の特性を得るために、伸縮
織物生地を主材とするが、織物生地の伸縮の有無を問わない形状で最良の装着感を維持
するための縫製構成を施すものとする。
【０００７】
パンツ部（前身頃）は男性用の場合、睾丸・陰茎を包み込み、安定させるための膨らみを
持たせた縫製加工を施し、女性用の場合は膨らみを持たせず平らかな構成する。
また、後身頃は男女共通に尻部の膨らみを包み込み食い込みを防ぐ形態とする。
【０００８】
腰周り部は伸縮素材（平ゴムまたは紐等）を内側に入れ、周りをパンツ部と同材で覆う
ことし、肌に接する部分の装着感をそこなわないようにする。
【実施例１】
【０００９】
図１は、本考案品の１実施例の投影図であって符号１〜５は、図２〜図５と同様である。
また、６は足入れ部（裾口）である。
【産業上の利用可能性】
【００１０】
褌の機能特性を兼ね備えながら、通常のパンツと同じように簡単に着装でき、生地色や
前垂れ部のデザイン等を加味することで、話題性とともに普及品となりえるものである。
【図面の簡単な説明】
【００１１】
【図１】褌パンツの前面斜め上からの投影図（実施例１）
【図２】褌パンツの正面図
【図３】褌パンツの背面図
【図４】褌パンツの右側面図（左側面は対象なため省略）
【図５】褌パンツの見下げ平面図
【符号の説明】
【００１２】
１    前垂れ部
２    腰周り部
３    パンツ部（前身頃）
４    パンツ部（後身頃）
５    縫い合わせ部
６    足入れ部（裾口）
【図１】
0003142309.tif 000003
【図２】
0003142309.tif 000004
【図３】
0003142309.tif 000005
【図４】
0003142309.tif 000006
【図５】
0003142309.tif 000007
【手続補正書】
【提出日】平成20年4月1日(2008.4.1)
【手続補正１】
【補正対象書類名】実用新案登録請求の範囲
【補正対象項目名】請求項１
【補正方法】変更
【補正の内容】
【請求項１】
男性下着の褌を天然繊維織物生地又は合成繊維織物生地等を組合せ、腰周り部、前見頃部、後見頃部、前垂れ部を褌を着用した時の形態に縫製等で一体構成させた褌型パンツ。
【手続補正２】
【補正対象書類名】明細書
【補正対象項目名】全文
【補正方法】変更
【補正の内容】
【考案の詳細な説明】
【技術分野】
【０００１】本考案は男性下着の褌を天然繊維織物生地、又は合成繊維織物生地等を組合せ、腰周り部、前見頃部、後見頃部、前垂れ部を、褌を着用した時の形態に縫製等で一体構成させた褌型パンツである。
【背景技術】
【０００２】褌パンツとして「特開平９-２２８１０２」があるが、トランクス等のような一般的な男性下着のように脱ぎ着できる一体構成の構造となっていない。【特許文献１】特開平９-２２８１０２
【考案の開示】
【考案が解決しようとする課題】
【０００３】褌を使用する人が減少していく中で、トランクス等のような一般的な男性下着同様に脱ぎ着できるように、腰周り部、前見頃部、後見頃部、前垂れ部を一体構成させることで褌型パンツとして一般的な男性下着として普及させること。
【課題を解決するための手段】
【０００４】本考案は、褌の着用方法がわからない人でも、トランクス等の下着同様に脱ぎ着することができるように、腰周り部、前見頃部、後見頃部、前垂れ部を一体構成とする。
【考案の効果】
【０００５】          ズボン等を穿いた状態でも、トランクス等の一般的な下着とほとんど変わりない装着感を持っている構成となっていることから、日常的に使用できる。
【考案を実施するための最良の形態】
【０００６】男性下着の褌を天然繊維織物生地又は合成繊維織物生地等を組合せ、腰周り部、前見頃部、後見頃部、前垂れ部を、褌を着用した時の形態に縫製等で一体構成させる褌型パンツとする。【０００７】前見頃部は、男性性器を包み込み、安定させるための膨らみを持たせた形態とし、後見頃部は、尻部の膨らみを包み込み、食い込みを防ぐ形態とする。【０００８】腰周り部は、織物生地内側に平ゴム等の伸縮部材や紐等を通したものとし、腰周り寸法に対応調整させることができる構造とする。
【実施例１】
【０００９】図１は、本考案品の１実施例の投影図であって符号１〜４は、図２〜図５と同様である。また、図4〜５の符号５は足入れ部（裾口）である。
【産業上の利用可能性】
【００１０】褌の機能特性を兼ね備えながら、トランクス等のような一般的な男性下着と同様に簡単に脱ぎ着できることから、生地色や前垂れ部にデザイン等を加えることで、話題性とともに一般的な下着として使用する人が増える。
【図面の簡単な説明】
【００１１】
【図１】褌型パンツの前面斜め上からの投影図（実施例１）
【図２】褌型パンツの正面図
【図３】褌型パンツの背面図
【図４】褌型パンツの断面図
【図５】褌型パンツの見上げ平面図
【符号の説明】
【００１２】１    前垂れ部  ２    腰周り部  ３    前身頃部  ４    後身頃部  ５    足入れ部（裾口） 
【手続補正３】
【補正対象書類名】図面
【補正対象項目名】全図
【補正方法】変更
【補正の内容】
【図１】
0003142309.tif 000008
【図２】
0003142309.tif 000009
【図３】
0003142309.tif 000010
【図４】
0003142309.tif 000011
【図５】
0003142309.tif 000012